(57)【要約】【課題】比較的狭い場所に設置される場合においても、発電モジュールのメンテナンスを行うことができるコジェネレーションシステムを提供すること。【解決手段】コジェネレーションシステム１における発電モジュール３０を収納した直方体状の収納部７０は、収納部７０の底部に設けられるとともに、発電モジュール３０の被支持部４０にて、発電モジュール３０を支持する支持面７１ａを有する支持部７１と、収納部７０における前後方向の前方側に設けられ、発電モジュール３０を前後方向に沿って移動させることにより、収納部７０の内部と筐体１０の外部との間を移動可能に開放された第一開放部７２と、収納部７０における左右方向の側に設けられ、発電モジュール３０を左右方向に沿って移動させることにより、収納部７０と筐体１０の外部との間を移動可能に開放された第二開放部７３と、備えている。【選択図】  図４
2019087491.tif 000002
【特許請求の範囲】
【請求項１】
下側面を有する発電モジュールを収納した直方体状の筐体を備えたコジェネレーションシステムであって、
前記筐体は、
複数のフレームを接続して形成されたフレーム体であって、前記発電モジュールを収納する直方体状の収納部を有する前記フレーム体と、
前記収納部の側方側の各側面を覆うようにそれぞれ配置され、取り外し可能に取り付けられた複数のパネルと、を備え、
前記収納部は、
前記収納部の底部に設けられるとともに、前記発電モジュールの前記下側面に設けられた被支持部にて、前記発電モジュールを支持する支持面を有する支持部と、
前記収納部における前記収納部の上面視における短手方向および長手方向の一方の方向の側に設けられ、前記発電モジュールを前記一方の方向に沿って移動させることにより、前記収納部の内部と前記筐体の外部との間を移動可能に開放された第一開放部と、
前記収納部における前記収納部の上面視における前記短手方向および前記長手方向の他方の方向の側に設けられ、前記発電モジュールを前記他方の方向に沿って移動させることにより、前記収納部と前記筐体の外部との間を移動可能に開放された第二開放部と、備えているコジェネレーションシステム。
【請求項２】
前記支持部は、
側面に前記支持面が設けられた棒状に形成され、前記被支持部を前記支持面にて前記短手方向および前記長手方向にスライド可能に支持する第一支持部材および第二支持部材を備え、
前記第一支持部材および前記第二支持部材は、
前記収納部における前記一方の方向の両端に亘って延び、かつ、前記一方の方向に沿って互いに平行に延びるように配置されるとともに、前記発電モジュールを支持した状態において、前記発電モジュールにおける前記他方の方向の両端より内側となるように配置されている請求項１に記載のコジェネレーションシステム。
【請求項３】
前記支持面は、前記発電モジュールを前記収納部から前記筐体の外部に取り出すときに、前記発電モジュールの重心が上面視において前記収納部の内側に位置する場合、前記被支持部を支持するように設けられている請求項１または請求項２に記載のコジェネレーションシステム。
【請求項４】
前記被支持部は、
前記被支持部における前記一方の方向の第一端側の端部から前記一方の方向の第一端側に向かって延び、かつ、前記他方の方向に沿って延びる板状に設けられるとともに、一方面が前記支持面とスライド可能に接触する板部を備え、
前記支持部は、
前記発電モジュールが前記収納部に収納された状態において、前記支持面に対向する対向面と前記支持面との間にて前記板部を挟持することにより、前記板部を、前記支持面に対して前記一方の方向の第二端側および前記他方の方向にスライド可能に保持する保持部を備えている請求項１乃至請求項３の何れか一項に記載のコジェネレーションシステム。
【請求項５】
前記板部は、前記一方の方向の第一端側に向けて開放するように形成された凹部を備え、
前記支持部は、前記発電モジュールが前記収納部に収納された状態において、前記凹部が嵌るように設けられ、前記発電モジュールの前記他方の方向に対する位置決めをする位置決め部を備えている請求項４に記載のコジェネレーションシステム。
【発明の詳細な説明】
【技術分野】
【０００１】
本発明は、コジェネレーションシステムに関する。
【背景技術】
【０００２】
コジェネレーションシステム（燃料電池システム）の一形式として特許文献１〜２に示されているものが知られている。特許文献１のコジェネレーションシステムは、筐体の側方に配置された一つの側面に、開閉自在な開閉扉を備えている。この開閉扉を開状態にして、発電モジュール等の構成部品のメンテナンスが行われている。また、特許文献２のコジェネレーションシステムは、筐体の特定の面から構成部品のメンテナンスが行われている。
【先行技術文献】
【特許文献】
【０００３】
【特許文献１】特開２０１１−２２８１８０号公報
【特許文献２】特開２０１４−１３７８４５号公報
【発明の概要】
【発明が解決しようとする課題】
【０００４】
しかしながら、コジェネレーションシステムが都市部等における比較的狭い場所に設置される場合、特許文献１のような開閉扉を開くスペースを確保できないことや、特許文献２のような特定の面の手前に立ってメンテナンスを行うための必要なスペースを確保することができないことが考えられる。
【０００５】
そこで、本発明は、上述した課題を解消するためになされたもので、比較的狭い場所に設置される場合においても、発電モジュールのメンテナンスを行うことができるコジェネレーションシステムを提供することを目的とする。
【課題を解決するための手段】
【０００６】
上記の課題を解決するため、請求項１に係るコジェネレーションシステムは、下側面を有する発電モジュールを収納した直方体状の筐体を備えたコジェネレーションシステムであって、筐体は、複数のフレームを接続して形成されたフレーム体であって、発電モジュールを収納する直方体状の収納部を有するフレーム体と、収納部の側方側の各側面を覆うようにそれぞれ配置され、取り外し可能に取り付けられた複数のパネルと、を備え、収納部は、収納部の底部に設けられるとともに、発電モジュールの下側面に設けられた被支持部にて、発電モジュールを支持する支持面を有する支持部と、収納部における収納部の上面視における短手方向および長手方向の一方の方向の側に設けられ、発電モジュールを短手方向に沿って移動させることにより、収納部の内部と筐体の外部との間を移動可能に開放された第一開放部と、収納部における収納部の上面視における短手方向および長手方向の他方の方向の側に設けられ、発電モジュールを長手方向に沿って移動させることにより、収納部と筐体の外部との間を移動可能に開放された第二開放部と、備えている。
【発明の効果】
【０００７】
これによれば、直方体状の収納部に収納された発電モジュールを、パネルを取り外した後に、収納部における収納部の上面視における短手方向および長手方向の一方の方向の側に設けられた第一開放部、または収納部における収納部の上面視における短手方向および長手方向の他方の方向の側に設けられた第二開放部を介して、外部に取り出すことができる。コジェネレーションシステムの設置場所のスペースにより、収納部における一方の方向の側から発電モジュールを取り出すスペースを確保できない場合においても、収納部における他方の方向の側には、コジェネレーションシステムの搬入経路として利用されたスペースが存在する。よって、この場合、収納部における他方の方向の側から発電モジュールを取り出すことができる。したがって、コジェネレーションが比較的狭い場所に設置される場合においても、発電モジュールのメンテナンスを行うことができる。
【図面の簡単な説明】
【０００８】
【図１】本発明に係るコジェネレーションシステムの一実施形態の外観を示す斜視図である。
【図２】図１に示すコジェネレーションシステムの概要図である。
【図３】図２に示す発電ユニットの横断面図である。
【図４】図２に示す発電ユニットの下面図である。
【図５】図１に示すコジェネレーションシステムにおいて前側面パネルおよび左側面パネルを外した状態を示す斜視図である。
【図６】図５に示すフレーム体の斜視図である。
【図７】図５に示すフレーム体および発電ユニットの上面図である。
【図８】図７に示すVIII−VIII線に沿ったフレーム体および発電ユニットの断面図である。
【図９】図７に示すIX−IX線に沿ったフレーム体および発電ユニットの断面図である。
【図１０】図７に示すX−X線に沿ったフレーム体および発電ユニットの断面図である。
【図１１】図５に示すフレーム体および発電ユニットの上面図であり、発電ユニットを前方向にスライド移動させた状態を表している。
【図１２】図１１に示すフレーム体および発電ユニットの上面図であり、発電ユニットを、図１１に示す状態からさらに前方向にスライド移動させた状態を表している。
【図１３】図５に示すフレーム体および発電ユニットの上面図であり、発電ユニットを、図１１に示す状態からさらに左方向にスライド移動させた状態を表している。
【発明を実施するための形態】
【０００９】
以下、本発明によるコジェネレーションシステムの一実施形態について図面を参照しながら説明する。なお、本明細書においては説明の便宜上、図１における上側および下側をそれぞれコジェネレーションシステム１の上方および下方とし、同じく左下側および右上側をそれぞれコジェネレーションシステム１の前方および後方とし、同じく左上側および右下側をそれぞれコジェネレーションシステム１の右方および左方として説明する。
【００１０】
コジェネレーションシステム１は、本実施形態において燃料電池システムである。コジェネレーションシステム１は、図１に示すように、直方体状の筐体１０を備えている。本実施形態において、筐体１０の上面視における短手方向と前後方向とが一致し、筐体１０の上面視における長手方向と左右方向とが一致する。
【００１１】
コジェネレーションシステム１は、図２に示すように、発電モジュール１１（３０）、熱交換器１２、電力変換装置１３、水タンク１４、制御装置１５および貯湯槽１６を備えている。発電モジュール１１、熱交換器１２、電力変換装置１３、水タンク１４、制御装置１５および貯湯槽１６は、筐体１０内に収容されている。
【００１２】
発電モジュール１１は、後述する燃料電池３４を少なくとも含んで構成されるものである。発電モジュール１１は、下側面３１ａを有する直方体状の箱状に形成されている（図２および図３参照）。発電モジュール１１は、直方体状の収納部７０に配置されている（図２および図５参照）。
【００１３】
収納部７０に発電モジュール１１が収納された状態において、発電モジュール１１の各側面は、収納部７０の各側面に対向する。収納部７０の上面視における短手方向（本実施形態において本発明の一方の方向に相当）は、発電モジュール１１の上面視における短手方向に一致し、かつ、筐体１０の短手方向すなわち前後方向に一致する。また、収納部７０の上面視における長手方向（本実施形態において本発明の他方の方向に相当）は、発電モジュール１１の上面視における長手方向に一致し、かつ、筐体１０の長手方向すなわち左右方向に一致する。よって、収納部７０の各側面は、筐体１０の各側面に対向する。収納部７０は、筐体１０内の上側に設けられている。収納部７０の詳細は後述する。
【００１４】
発電モジュール１１には、燃料電池３４の発電に必要な改質用原料と酸化剤ガスとが供給される。改質用原料は、改質水を用いて改質された改質燃料として燃料電池３４に用いられる。酸化剤ガスは、空気（カソードエア）である。
【００１５】
発電モジュール１１は、供給源Ｇｓから改質用原料が、燃料供給管１１ａを介して燃料ポンプ１１ａ１の駆動によって供給される。発電モジュール１１は、水タンク１４から改質水が、改質水供給路１１ｂを介して改質水ポンプ１１ｂ１の駆動によって供給される。また、発電モジュール１１は、筐体１０内の空気が、カソードエア供給路１１ｃを介してカソードエアブロワ１１ｃ１の駆動によって供給される。
【００１６】
熱交換器１２は、発電モジュール１１から排気される燃焼排ガス（後述する）が供給されるとともに貯湯槽１６からの貯湯水が供給され、燃焼排ガスと貯湯水とが熱交換する熱交換器である。熱交換器１２は、発電モジュール１１からの排気管１１ｄが接続（貫設）されている。熱交換器１２は、水タンク１４に接続されている凝縮水供給管１２ａが接続されている。
【００１７】
貯湯槽１６は、貯湯水を貯湯するものであり、貯湯水が循環する（図にて矢印の方向に循環する）貯湯水循環ライン１７が接続されている。貯湯水循環ライン１７上には、下端から上端に向かって順番に貯湯水循環ポンプ１７ａおよび熱交換器１２が配置されている。
【００１８】
熱交換器１２において、発電モジュール１１からの燃焼排ガスは、排気管１１ｄを通って熱交換器１２内に導入され、貯湯水との間で熱交換が行われて冷却されるとともに、燃焼排ガス中に含まれる水蒸気が凝縮される。冷却後の燃焼排ガスは排気管１１ｄを通って外部に排出される。また、凝縮された凝縮水は、凝縮水供給管１２ａを通って水タンク１４に供給される。なお、水タンク１４は、凝縮水をイオン交換樹脂によって純水化するようになっている。
【００１９】
上述した熱交換器１２、貯湯槽１６および貯湯水循環ライン１７から、排熱回収システム１８が構成されている。排熱回収システム１８は、発電モジュール１１の排熱を貯湯水に回収して蓄える。
【００２０】
さらに、電力変換装置１３は、燃料電池３４から出力される直流電圧を入力し所定の交流電圧に変換して、交流の系統電源２０ａおよび外部電力負荷２０ｃ（例えば電化製品）に接続されている電源ライン２０ｂに出力する。また、電力変換装置１３は、系統電源２０ａからの交流電圧を電源ライン２０ｂを介して入力し所定の直流電圧に変換して、補機や制御装置１５に出力する。
【００２１】
制御装置１５は、発電モジュール１１を少なくとも制御するものである。制御装置１５は、補機を駆動して、コジェネレーションシステム１の運転を制御する。制御装置１５は、コジェネレーションシステム１の発電運転中において、燃料電池３４の発電電力を外部電力負荷２０ｃの消費電力となるように制御する（負荷追従運転）。なお、上述した燃料供給管１１ａ、改質水供給路１１ｂ、カソードエア供給路１１ｃ、排気管１１ｄおよび電源ライン２０ｂは、発電モジュール１１に対して着脱可能に設けられている。
【００２２】
発電モジュール３０は、図３に示すように、ケーシング３１、蒸発部３２、改質部３３、燃料電池３４、燃焼部３５、断熱部材３６および被支持部４０を備えている。ケーシング３１は、下側面３１ａを有し、断熱材料によって箱状に設けられている。蒸発部３２および改質部３３は、燃料電池３４の上方に配置されている。燃焼部３５は、蒸発部３２および改質部３３と燃料電池３４との間に配置されている。
【００２３】
蒸発部３２は、改質水から水蒸気を生成するものである。蒸発部３２は、具体的には、後述する燃焼ガスにより加熱されて、水タンク１４から供給された改質水を蒸発させて水蒸気を生成する。また、蒸発部３２は、供給源Ｇｓから供給された改質用原料を予熱する。
【００２４】
蒸発部３２は、このように生成された水蒸気と予熱された改質用原料とを混合して改質部３３に供給する。改質用原料としては天然ガス、ＬＰガスなどの改質用気体燃料、灯油、ガソリン、メタノールなどの改質用液体燃料がある。
【００２５】
改質部３３は、改質用原料と水蒸気とから改質燃料である改質ガスを生成し、改質ガスを燃料電池３４に供給するものである。改質部３３は、具体的には、後述する燃焼ガスにより加熱されて水蒸気改質反応に必要な熱が供給されることで、蒸発部３２から供給された混合ガス（改質用原料、水蒸気）から改質ガスを生成する。
【００２６】
改質部３３内には、触媒（例えば、ＲｕまたはＮｉ系の触媒）が充填されており、混合ガスが触媒によって反応し改質されて水素ガスと一酸化炭素などを含んだ改質ガスが生成されている（いわゆる水蒸気改質反応）。改質ガスは、水素、一酸化炭素、二酸化炭素、水蒸気、未改質の天然ガス（メタンガス）、改質に使用されなかった改質水（水蒸気）を含んでいる。
【００２７】
燃料電池３４は、改質ガスと酸化剤ガスにより発電する。燃料電池３４は、燃料極（図示なし）、空気極（酸化剤極；図示なし）、および両極の間に介装された電解質からなる複数のセル（図示なし）が積層されて構成されている。燃料電池３４は、固体酸化物形燃料電池であり、電解質として固体酸化物の一種である酸化ジルコニウムを使用している。
【００２８】
燃料電池３４の燃料極には、改質ガスが供給される。セルの燃料極側には、燃料（改質ガス）が流通する。セルの空気極側には、カソードエアブロワ１１ｃ１によって供給された酸化剤ガスである空気（カソードエア）が流通する。
【００２９】
燃焼部３５は、燃料電池３４からのアノードオフガス（燃料オフガス）と燃料電池３４からのカソードオフガス（酸化剤オフガス）とが燃焼されて燃焼ガス（火炎３７）が発生している。その燃焼ガスが蒸発部３２および改質部３３を加熱する。
【００３０】
また、燃焼部３５では、アノードオフガスが燃焼されて、比較的高温の燃焼排ガスが発生している。燃焼排ガスは、熱交換器１２に導出される。燃焼部３５は、発電モジュール３０内の温度を燃料電池３４の動作温度にする。
【００３１】
断熱部材３６は、上側を開放する断面Ｕ字状に形成されている。断熱部材３６は、比較的高い断熱性を有するセラッミクス等の断熱材料によって形成されている。断熱部材３６の内側に、燃料電池３４が配置されている。
【００３２】
被支持部４０は、発電モジュール３０の下側面３１ａに設けられた一対の脚部４０ａ，４０ｂである。一対の脚部４０ａ，４０ｂは、図３および図４に示すように、発電モジュール３０の下側面３１ａにおける前後方向の両端側にそれぞれ設けられている。
【００３３】
一対の脚部４０ａ，４０ｂの各々は、同一の構成である。一対の脚部４０ａ，４０ｂのうち後側に配置された第一脚部４０ａの構成には、添え字「ａ」が付され、一対の脚部４０ａ，４０ｂのうち前側に配置された第二脚部４０ｂの構成には、添え字「ｂ」が付されている。以下、一対の脚部４０ａ，４０ｂの構成について第一脚部４０ａについてのみ説明する。
【００３４】
第一脚部４０ａは、図４、図７乃至図９に示すように、取付部４１ａ、第一板部４２ａおよび第二板部４３ａを備えている。取付部４１ａ、第一板部４２ａおよび第二板部４３ａは、板金部材が折り曲げられることによって一体的に形成されている。
【００３５】
取付部４１ａは、下方に開放する断面Ｕ字状に、左右方向に沿って延びるように設けられている。取付部４１ａの左右方向の長さ（被支持部４０の左右方向の長さに相当）は、発電モジュール３０の左右方向の長さとおよそ同じである。
【００３６】
第一板部４２ａは、取付部４１ａの後側の下端から後方に向かって延びる板状に設けられ、一方面（下側面）が後述する支持面７１ａとスライド可能（摺動可能）に接触するものである。第一板部４２ａは、発電モジュール３０の下側面３１ａより下方に設けられている。第一板部４２ａは、被支持部４０（取付部４１ａ）の左右方向の両端に亘って左右方向に沿って延びるように設けられている。
【００３７】
このように、第一脚部４０ａの第一板部４２ａは、被支持部４０（一対の脚部４０ａ，４０ｂ）における前後方向の後方端側（後方向：本発明の第一端側に相当）の端部から前後方向の後方端側に向かって延び、かつ、左右方向に沿って延びる板状に設けられるとともに、一方面（下側面）が後述する支持面７１ａとスライド可能に接触する。すなわち、第一脚部４０ａの第一板部４２ａは、本発明の板部に相当する。
【００３８】
また、第一板部４２ａは、図４、図７および図９に示すように、凹部４２ａ１を備えている。凹部４２ａ１は、前後方向の後方端側に向けて開放するように形成されたものである。凹部４２ａ１は、上面視Ｕ字状に形成されている。凹部４２ａ１は、第一板部４２ａに複数（二ヶ所）設けられている。凹部４２ａ１は、左右方向において、後述する位置決め部７１ｃに嵌る位置に設けられている。
【００３９】
第二板部４３ａは、取付部４１ａの前側の下端から前方に向けて延び、かつ、左右方向に沿って延びる板状に設けられ、一方面（下側面）が後述する支持面７１ａとスライド可能（摺動可能）に接触するものである。第二板部４３ａは、発電モジュール３０の下側面３１ａより下方に設けられている。また、第二板部４３ａは、被支持部４０（取付部４１ａ）の左右方向の両端に亘って左右方向に沿って延びるように設けられている。
【００４０】
次に、筐体１０について詳細に説明する。筐体１０は、複数のパネル５０およびフレーム体６０を備えている。
複数のパネル５０の各々は、取り外し可能に設けられている。複数のパネル５０は、図１および図５に示すように、設置面に設置されるベースパネル５１、後側面パネル５２、左側面パネル５３、右側面パネル５４、天井パネル５５および前側面パネル５６を供えている。各パネル５１〜５６は、は主として板金部材を折り曲げ加工したものである。
【００４１】
図５に示すように、ベースパネル５１は筐体１０の底壁を構成するものであり、ベースパネル５１の周縁部は上側に折り曲げられた折曲部５１ａを備えている。この折曲部５１ａにはフレーム体６０の下端部がボルト等によって固定されている。ベースパネル５１の左右両側縁部には下側に延びた下縁が外側に延びる補強脚部５１ｂが設けられており、補強脚部５１ｂはベースパネル５１の左右両側部を補強している。
【００４２】
後側面パネル５２は筐体１０の後壁を構成するものである。後側面パネル５２は、ベースパネル５１およびベースパネル５１に固定したフレーム体６０にボルト等によって取り外し可能に取り付けられている。
【００４３】
左側面パネル５３は筐体１０の左壁を構成するものである。左側面パネル５３は、ベースパネル５１、並びに、ベースパネル５１に固定した後側面パネル５２およびフレーム体６０にボルト等によって取り外し可能に取り付けられている。
【００４４】
右側面パネル５４は、筐体１０の右壁を構成するものである。右側面パネル５４は、ベースパネル５１、並びに、ベースパネル５１に固定した後側面パネル５２およびフレーム体６０に、ボルト等によって取り外し可能に取り付けられている。
【００４５】
天井パネル５５は、筐体１０の天井壁を構成するものである。天井パネル５５の周縁は、下側に折り曲げられた折曲部５５ａを備えた浅い箱型形状に形成されている。天井パネル５５はベースパネル５１に固定した後側面パネル５２、左側面パネル５３および右側面パネル５４の上縁に外嵌されている。天井パネル５５は後側面パネル５２および左側面パネル５３に、ボルト等によって取り外し可能に取り付けられている。
【００４６】
前側面パネル５６は、筐体１０の前側壁を構成するものである。前側面パネル５６は、ベースパネル５１、並びに、ベースパネル５１に固定した左側面パネル５３、右側面パネル５４およびフレーム体６０に、ボルト等によって取り外し可能に取り付けられている。
【００４７】
複数のパネル５０は、前側面パネル５６、左側面パネル５３、右側面パネル５４、天井パネル５５および後側面パネル５２の順に、フレーム体６０から取り外すことができる。複数のパネル５０のうち前側面パネル５６のみが取り外された状態において、上述した燃料供給管１１ａ、改質水供給路１１ｂ、カソードエア供給路１１ｃ、排気管１１ｄおよび電源ライン２０ｂは、メンテナンス業者が発電モジュール３０に対して着脱可能な位置に設けられている。
【００４８】
フレーム体６０は、複数のフレーム６１を接続して形成されている。複数のフレーム６１の各々は、断面Ｌ字状または断面Ｕ字状に、一方向に沿って延びる棒状に形成されている。複数のフレーム６１は、ボルトＢ（図９および図１０参照）等を用いて互いに接続されている。複数のフレーム６１は、図６に示すように、前左柱部材６１ａ、前中柱部材６１ｂ、前右柱部材６１ｃ、後左柱部材６１ｄ、後中柱部材６１ｅ、後右柱部材６１ｆ、前横部材６１ｇ、後横部材６１ｈ、第一支持部材６１ｉおよび第二支持部材６１ｊを備えている。
【００４９】
前左柱部材６１ａは、ベースパネル５１の前端の左端にて上下方向に沿って立てられたフレームである。前中柱部材６１ｂは、ベースパネル５１の前端のおよそ中央にて上下方向に沿って立てられたフレームである。前右柱部材６１ｃは、ベースパネル５１の前端の右端にて上下方向に沿って立てられたフレームである。
【００５０】
後左柱部材６１ｄは、ベースパネル５１の後端の左端にて上下方向に沿って立てられたフレームである。後中柱部材６１ｅは、ベースパネル５１の後端のおよそ中央にて上下方向に沿って立てられたフレームである。後右柱部材６１ｆは、ベースパネル５１の後端の右端にて上下方向に沿って立てられたフレームである。
【００５１】
前右柱部材６１ｃ、後右柱部材６１ｆおよび後左柱部材６１ｄは、ベースパネル５１から筐体１０の上端部に亘って上下方向に沿って立てられている。前中柱部材６１ｂ、前左柱部材６１ａおよび後中柱部材６１ｅは、ベースパネル５１から筐体１０の上下方向の中央部に亘って立てられている。
【００５２】
前横部材６１ｇは、フレーム体６０の前側にて、左右方向に沿って延びるように配置され、前右柱部材６１ｃの中央部、前中柱部材６１ｂの上端部および前左柱部材６１ａの上端部に接続されている。前横部材６１ｇは、内側面が上方および後方を向く断面Ｌ字状に形成されている（図１０参照）。なお、前横部材６１ｇの上端の位置は、後述する各支持部材６１ｉ，６１ｊの上側面６１ｉ１，６１ｊ１以下となるように設定されている。また、前右柱部材６１ｃは、前横部材６１ｇの接続部において、上側の第一前右柱部材６１ｃ１と下側の第二前右柱部材６１ｃ２とに分割可能に設けられている。
【００５３】
後横部材６１ｈは、フレーム体６０の後側にて、左右方向に沿って延びるように配置され、後左柱部材６１ｄの中央部、後中柱部材６１ｅの上端部および後右柱部材６１ｆの中央部に接続されている。後横部材６１ｈは、内側面が下方および前方を向く断面Ｌ字状に形成されている（図８および図９参照）。
第一支持部材６１ｉおよび第二支持部材６１ｊの詳細は後述する。
【００５４】
また、フレーム体６０は、直方体状の収納部７０を備えている。収納部７０は、発電モジュール３０を収納するものである（図２および図５参照）。収納部７０は、フレーム体６０の上側に設けられている。
【００５５】
収納部７０は、破線にて示すように、第一前右柱部材６１ｃ１、後左柱部材６１ｄ、後右柱部材６１ｆ、各横部材６１ｇ，６１ｈおよび各支持部材６１ｉ，６１ｊに囲まれた空間である。上述したように、収納部７０の各側面は、筐体１０の各側面に対向する。よって、上述したパネルは、収納部７０の側方側の各側面を覆うように配置されている。収納部７０は、図６乃至図９に示すように、支持部７１、第一開放部７２、第二開放部７３を備えている。
【００５６】
支持部７１は、収納部７０の底部に設けられるとともに、発電モジュール３０の下側面３１ａに設けられた被支持部４０にて、発電モジュール３０を支持する支持面７１ａを有するものである。支持部７１は、第一支持部材６１ｉ、第二支持部材６１ｊ、保持部７１ｂおよび位置決め部７１ｃを備えている。
【００５７】
第一支持部材６１ｉおよび第二支持部材６１ｊは、側面に支持面７１ａが設けられた棒状に形成されている。第一支持部材６１ｉおよび第二支持部材６１ｊは、下方に向けて開放する断面Ｕ字状に形成され、上側面６１ｉ１，６１ｊ１が互いに同じ高さとなるように配置されている。支持面７１ａは、第一支持部材６１ｉおよび第二支持部材６１ｊの上側面６１ｉ１，６１ｊ１である。
【００５８】
第一支持部材６１ｉおよび第二支持部材６１ｊの上側面６１ｉ１，６１ｊ１である支持面７１ａが、発電モジュール３０の被支持部４０における各板部４２ａ，４３ａ，４２ｂ，４３ｂの下側面と摺動可能に接触する（図８乃至図１０参照）。これにより、各支持部材６１ｉ，６１ｊは、被支持部４０を支持面７１ａにて前後方向および左右方向にスライド可能に支持する。
【００５９】
第一支持部材６１ｉおよび第二支持部材６１ｊは、収納部７０における前後方向の両端に亘って延びるように配置されている。第一支持部材６１ｉおよび第二支持部材６１ｊの第一端部（前端部）は、前横部材６１ｇに接続されている。具体的には、各支持部材６１ｉ，６１ｊの第一端部は、前横部材６１ｇの下壁６１ｇ１を下方に位置させるように、前横部材６１ｇの前壁６１ｇ２に接続されている（図１０参照）。また、各支持部材６１ｉ，６１ｊの第二端部（後端部）は、後横部材６１ｈに接続されている。具体的には、各支持部材６１ｉ，６１ｊの第二端部は、後横部材６１ｈの上壁６１ｈ１を上方に位置させるように、後横部材６１ｈの後壁６１ｈ２に接続されている（図８および図９参照）。
【００６０】
また、第一支持部材６１ｉおよび第二支持部材６１ｊは、前後方向に沿って互いに平行に延びるように配置されている。さらに、第一支持部材６１ｉおよび第二支持部材６１ｊは、発電モジュール３０を支持した状態において、発電モジュール３０における左右方向の両端より内側となるように配置されている（図７参照）。
【００６１】
また、支持面７１ａ（各支持部材６１ｉ，６１ｊの上側面６１ｉ１，６１ｊ１）は、発電モジュール３０を収納部７０から筐体１０の外部に取り出すときに、発電モジュール３０の重心Ｇが上面視において収納部７０の内側に位置する場合、被支持部４０を支持するように配置されている。重心Ｇは、発電モジュール３０の中心に位置する。
【００６２】
具体的には、収納部７０の前後方向の長さより発電モジュール３０の前後方向の長さが僅かに短い長さであり、かつ、収納部７０の左右方向の長さＬに対して発電モジュール３０の左右方向の長さがＬ／２からＬの間の長さであるのに対して、第一支持部材６１ｉは、左右方向において収納部７０の右端からおよそＬ／４の長さだけ離れて配置されている。また、第一支持部材６１ｉと第二支持部材６１ｊとは、左右方向においておよそＬ／２の長さだけ離れて配置されている。さらに、第二支持部材６１ｊは、左右方向において収納部７０の左端からおよそＬ／４の長さだけ離れて配置されている。
【００６３】
保持部７１ｂは、図８に示すように、支持部７１の底部における後方側に設けられている。保持部７１ｂは、発電モジュール３０が収納部７０に収納された状態（図５および図７参照）において、支持面７１ａに対向する対向面７１ｂ１と支持面７１ａとの間にて、第一脚部４０ａの第一板部４２ａを挟持することにより、第一板部４２ａを、支持面７１ａに対して前後方向の前方端側（前方向：本発明の第二端側に相当）および左右方向にスライド可能に保持するものである。このように、保持部７１ｂは、支持面７１ａおよび対向面７１ｂ１によって設けられる。
【００６４】
対向面７１ｂ１は、後横部材６１ｈの上壁６１ｈ１における内側面（下方を向く面）である。上述したように、後横部材６１ｈの上壁６１ｈ１は、各支持部材６１ｉ，６１ｊの上側面６１ｉ１，６１ｊ１より上方に配置され、上壁６１ｈ１の内側面（対向面７１ｂ１）が各支持部材６１ｉ，６１ｊの上側面６１ｉ１，６１ｊ１（支持面７１ａ）に対向する。対向面７１ｂ１は、支持面７１ａから第一板部４２ａ材の板厚分だけ離れるように設けられている。対向面７１ｂ１は、第一板部４２ａの上側面と摺動可能に接触する。
【００６５】
保持部７１ｂの後側は、後横部材６１ｈの後壁６１ｈ２に覆われている。また、保持部７１ｂは、前方および左右方向に開放されている。これらによって、第一板部４２ａは、保持部７１ｂに対して前方および左右方向にスライド可能に保持される。
【００６６】
位置決め部７１ｃは、図７および図９に示すように、発電モジュール３０が収納部７０に収納された状態において、第一板部４２ａの凹部４２ａ１が嵌るように設けられ、発電モジュール３０の左右方向に対する位置決めをするものである。
【００６７】
位置決め部７１ｃは、後横部材６１ｈの上壁６１ｈ１における各支持部材６１ｉ，６１ｊの上方の部位にて、底部を有する凹状に設けられている。位置決め部７１ｃの下側面７１ｃ１は、支持面７１ａに接触するように設けられている。位置決め部７１ｃの底部に設けられた貫通穴７１ｃ２にボルトＢが貫通し、ボルトＢによって後横部材６１ｈと各支持部材６１ｉ，６１ｊとが固定される。位置決め部７１ｃに凹部４２ａ１が嵌ることにより、被支持部４０の左右方向へのスライド移動が規制される。
【００６８】
また、発電モジュール３０が収納部７０に収納された状態において、各板部４２ａ，４３ａ，４２ｂ，４３ｂの下側面が支持面７１ａに接触し、第一脚部４０ａの第一板部４２ａが保持部７１ｂに保持され、第一脚部４０ａの第一板部４２ａの凹部４２ａ１が位置決め部７１ｃに嵌る。発電モジュール３０はこの状態において、図１０に示すように、固定部材８０を介してフレーム体６０（各支持部材６１ｉ，６１ｊ）にボルトＢ等によって固定されることによって、収納部７０内に固定される。固定部材８０は、発電モジュール３０とフレーム体６０とを連結するものであり、板金部材が折り曲げられることによって設けられている。
【００６９】
第一開放部７２は、図７に示すように、収納部７０における前後方向の前方側に設けられ、発電モジュール３０を前後方向に沿って移動させることにより、収納部７０と筐体１０の外部との間を移動可能に開放されたものである。第一開放部７２は、具体的には、収納部７０の前側の空間である。複数のパネル５０のうち、前側面パネル５６が取り外されることにより、第一開放部７２を介して収納部７０と筐体１０の外部との間の発電モジュール３０の取り出しおよび収納が可能となる。
【００７０】
第二開放部７３は、収納部７０における左右方向の側（両側）に設けられ、発電モジュール３０を左右方向に沿って移動させることにより、収納部７０と筐体１０の外部との間を移動可能に開放されたものである。第二開放部７３は、具体的には、収納部７０の左側および右側の空間である。複数のパネル５０のうち、前側面パネル５６並びに左側面パネル５３および右側面パネル５４の一方が取り外されることにより、第二開放部７３を介して収納部７０と筐体１０の外部との間の発電モジュール３０の取り出しおよび収納が可能となる。
【００７１】
次に、上述したコジェネレーションシステム１において、コジェネレーションシステム１が設置された状態にて、筐体１０の前方に発電モジュール３０を取り出すことができる十分なスペースがあり、収納部７０から発電モジュール３０を、収納部７０の前方から筐体１０の外部に取り出す場合について説明する。
【００７２】
この場合、はじめに、複数のパネル５０のうち前側面パネル５６のみが取り外される。続けて、発電モジュール３０から燃料供給管１１ａ、改質水供給路１１ｂ、カソードエア供給路１１ｃ、排気管１１ｄおよび電源ライン２０ｂが取り外される。さらに、固定部材８０（図９参照）が取り外される。これにより、フレーム体６０から発電モジュール３０が取り外し可能となる。
【００７３】
そして、メンテナンス業者が、発電モジュール３０が収納部７０に収納された状態（図５および図７参照）から、発電モジュール３０を前方に向けて、支持面７１ａと各板部４２ａ，４３ａ，４２ｂ，４３ｂの下側面とを摺動させるようにスライド移動させる。これにより、図１１に示すように、第一脚部４０ａの第一板部４２ａが保持部７１ｂから外れる。
【００７４】
さらに、メンテナンス業者が発電モジュール３０を前方に向けてスライド移動させることにより、発電モジュール３０が第一開放部７２から取り出される。この場合において、発電モジュール３０の重心Ｇが上面視において収納部７０の内側に位置する場合、図１１および図１２に示すように、少なくとも第一脚部４０ａの下側面が、各支持部材６１ｉ，６１ｊの上側面６１ｉ１，６１ｊ１（支持面７１ａ）に接触することにより発電モジュール３０が支持される。
【００７５】
一方、発電モジュール３０を筐体１０の外部から収納部７０に収納する場合、発電モジュール３０の向きを調整した後、発電モジュール３０を第一開放部７２から収納部７０に入れる。そして、各板部４２ａ，４３ａ，４２ｂ，４３ｂの下側面と支持面７１ａとを接触させて、発電モジュール３０をスライド移動させ、第一脚部４０ａの第一板部４２ａの凹部４２ａ１が位置決め部７１ｃに嵌るように、第一脚部４０ａの第一板部４２ａを保持部７１ｂに挟持させる。
【００７６】
さらに、固定部材８０によってフレーム体６０と発電モジュール３０とを固定し、発電モジュール３０に燃料供給管１１ａ、改質水供給路１１ｂ、カソードエア供給路１１ｃ、排気管１１ｄおよび電源ライン２０ｂが取り付けられる。これにより、発電モジュール３０の収納部７０への収納が完了する。最後に、前側面パネル５６が取り付けられる。
【００７７】
次に、図１３に示すようにコジェネレーションシステム１が比較的狭い場所に設置されたことにより、筐体１０の前側面と家屋の壁Ｗ等が比較的近いため、筐体１０の前方に発電モジュール３０を取り出すスペースが無い場合において、発電モジュール３０を収納部７０から左方に向けて取り出す場合について説明する。
【００７８】
この場合、コジェネレーションシステム１の左右方向には、コジェネレーションシステム１の搬入経路Ｒとしてのスペースが存在するため、発電モジュール３０を、収納部７０の左方から筐体１０の外部に取り出すことができる。
【００７９】
この場合、はじめに、複数のパネル５０のうち前側面パネル５６および左側面パネル５３が取り外される。続けて、メンテナンス業者の腕が筐体１０の前側面にまで回されて、発電モジュール３０から燃料供給管１１ａ、改質水供給路１１ｂ、カソードエア供給路１１ｃ、排気管１１ｄおよび電源ライン２０ｂが取り外される。さらに、固定部材８０（図９参照）が取り外される。
【００８０】
そして、メンテナンス業者は、発電モジュール３０が収納部７０に収納された状態（図７参照）から、図１１に示すように、第一脚部４０ａの第一板部４２ａが保持部７１ｂから外れるように、支持面７１ａと各板部４２ａ，４３ａ，４２ｂ，４３ｂの下側面とを摺動させるように、発電モジュール３０を前方に向けてスライド移動させる。この状態において、第二脚部４０ｂの各板部４２ａ，４３ａ，４２ｂ，４３ｂの下側面が支持面７１ａに接触している。
【００８１】
さらに、メンテナンス業者が、発電モジュール３０を左方に向けて、支持面７１ａと各板部４２ａ，４３ａ，４２ｂ，４３ｂの下側面とを摺動させるようにスライド移動させる。これにより、図１３に示すように、発電モジュール３０が左側の第二開放部７３から取り出される。この場合において、発電モジュール３０の重心Ｇが収納部７０の内側に位置する場合、各板部４２ａ，４３ａ，４２ｂ，４３ｂの下側面が少なくとも第二支持部材６１ｊの上側面６１ｉ１，６１ｊ１に接触することにより発電モジュール３０が支持される。
【００８２】
一方、発電モジュール３０を筐体１０の外部から収納部７０に収納する場合、発電モジュール３０の向きを調整した後、発電モジュール３０を左側の第二開放部７３から収納部７０に入れて、各板部４２ａ，４３ａ，４２ｂ，４３ｂの下側面と支持面７１ａとを接触させて、発電モジュール３０を右方に向けてスライド移動させる。そして、発電モジュール３０の位置が左右方向における収納される位置とおおよそ同じになった場合、発電モジュール３０を後方に向けてスライド移動させ、第一脚部４０ａの第一板部４２ａの凹部４２ａ１が位置決め部７１ｃに嵌るように、第一脚部４０ａの第一板部４２ａを保持部７１ｂに挟持させる。
【００８３】
さらに、上述したように、発電モジュール３０の収納部７０への収納を完了させ、最後に前側面パネル５６および左側面パネル５３が取り付けられる。
【００８４】
本実施形態によれば、コジェネレーションシステム１は、下側面３１ａを有する発電モジュール３０を収納した直方体状の筐体１０を備えている。筐体１０は、複数のフレーム６１を接続して形成されたフレーム体６０であって、発電モジュール３０を収納する直方体状の収納部７０を有するフレーム体６０と、収納部７０の側方側の各側面を覆うようにそれぞれ配置され、取り外し可能に取り付けられた複数のパネル５０と、を備えている。収納部７０は、収納部７０の底部に設けられるとともに、発電モジュール３０の下側面３１ａに設けられた被支持部４０にて、発電モジュール３０を支持する支持面７１ａを有する支持部７１と、収納部７０における前後方向の前方側に設けられ、発電モジュール３０を前後方向に沿って移動させることにより、収納部７０の内部と筐体１０の外部との間を移動可能に開放された第一開放部７２と、収納部７０における左右方向の側に設けられ、発電モジュール３０を左右方向に沿って移動させることにより、収納部７０と筐体１０の外部との間を移動可能に開放された第二開放部７３と、備えている。
【００８５】
これによれば、収納部７０に収納された発電モジュール３０を、複数のパネル５０を取り外した後に、収納部７０における前後方向の前方側に設けられた第一開放部７２、または収納部７０における左右方向の側に設けられた第二開放部７３を介して、外部に取り出すことができる。コジェネレーションシステム１の設置場所のスペースにより、収納部７０における前後方向の側から発電モジュール３０を取り出すスペースを確保できない場合においても、収納部７０における左右方向の側には、コジェネレーションシステム１の搬入経路Ｒとして利用されたスペースが存在する。よって、この場合、収納部７０における左右方向の側から発電モジュール３０を取り出すことができる。したがって、コジェネレーションが比較的狭い場所に設置される場合においても、発電モジュール３０のメンテナンスを行うことができる。
【００８６】
また、支持部７１は、側面に支持面７１ａが設けられた棒状に形成され、被支持部４０を支持面７１ａにて前後方向および左右方向にスライド可能に支持する第一支持部材６１ｉおよび第二支持部材６１ｊを備えている。第一支持部材６１ｉおよび第二支持部材６１ｊは、収納部７０における前後方向の両端に亘って延び、かつ、前後方向に沿って互いに平行に延びるように配置されるとともに、発電モジュール３０を支持した状態において、発電モジュール３０における左右方向の両端より内側となるように配置されている。
【００８７】
これによれば、支持部７１は、第一支持部材６１ｉおよび第二支持部材６１ｊによって、簡便に構成することができる。また、支持部７１が棒状に形成された第一支持部材６１ｉおよび第二支持部材６１ｊによって構成されているため、支持部７１と被支持部４０との接触面積を比較的小さくすることができる。よって、発電モジュール３０のスライド移動を比較的低い荷重にて行うことができる。
【００８８】
また、支持面７１ａは、発電モジュール３０を収納部７０から筐体１０の外部に取り出すときに、発電モジュール３０の重心Ｇが上面視において収納部７０の内側に位置する場合、被支持部４０を支持するように配置されている。
【００８９】
これによれば、発電モジュール３０を取り出す場合において、発電モジュール３０が収納部７０の中心側を下方とするように傾斜することを抑制することができる。よって、発電モジュール３０を収納部７０から安定して取り出すことができる。
【００９０】
また、被支持部４０は、被支持部４０における前後方向の後方端側の端部から前後方向の後方端側に向かって延び、かつ、左右方向に沿って延びる板状に設けられるとともに、一方面が支持面７１ａとスライド可能に接触する第一脚部４０ａの第一板部４２ａを備えている。支持部７１は、発電モジュール３０が収納部７０に収納された状態において、支持面７１ａに対向する対向面７１ｂ１と支持面７１ａとの間にて第一脚部４０ａの第一板部４２ａを挟持することにより、第一脚部４０ａの第一板部４２ａを、支持面７１ａに対して前後方向の前方端側および左右方向にスライド可能に保持する保持部７１ｂを備えている。
【００９１】
これによれば、発電モジュール３０を、支持面７１ａと各板部４２ａ，４３ａ，４２ｂ，４３ｂの下側面とを摺動させるようにスライド移動させることにより、被支持部４０における第一脚部４０ａの第一板部４２ａを保持部７１ｂに対して着脱することができる。よって、発電モジュール３０の収納部７０への収納および収納部７０からの取り出しを比較的簡便に行うことができる。
【００９２】
第一脚部４０ａの第一板部４２ａは、前後方向の後方端側に向けて開放するように形成された凹部４２ａ１を備えている。支持部７１は、発電モジュール３０が収納部７０に収納された状態において、凹部４２ａ１が嵌るように設けられ、発電モジュール３０の左右方向に対する位置決めをする位置決め部７１ｃを備えている。
【００９３】
これによれば、位置決め部７１ｃによって、発電モジュール３０の左右方向に対する位置決めを行うことができる。よって、発電モジュール３０の収納部７０への収納を比較的簡便に行うことができる。
【００９４】
なお、上述した実施形態において、コジェネレーションシステムの一例を示したが、本発明はこれに限定されず、他の構成を採用することもできる。例えば、上述したコジェネレーションシステム１の発電モジュール３０は、燃料電池３４を用いているが、これに代えて、ガスエンジン等の内燃機関（図示なし）および発電機（図示なし）を用いて発電モジュール３０を構成するようにしても良い。
【００９５】
また、上述した実施形態において、支持面７１ａは、各支持部材６１ｉ，６１ｊの上側面６１ｉ１，６１ｊ１であるが、これに代えて、収納部７０の底面の全体を支持面とするようにしても良い。この場合、例えば、一方面の全体を支持面とする板部材を収納部７０の底部に配置する。
【００９６】
また、上述した実施形態において、支持部７１には、位置決め部７１ｃを備えているが、これに代えて、位置決め部７１ｃを備えないようにしても良い。この場合、各第一板部４２ａ，４２ｂに凹部４２ａ１，４２ｂ１を備えないようにしても良い。
【００９７】
また、上述した実施形態において、支持部７１は、保持部７１ｂを備えているが、これに代えて、保持部７１ｂを備えないようにしても良い。この場合において、第一開放部７２を収納部７０の後側にも設けるようにしても良い。この場合、第一開放部７２は、収納部７０における前後方向の側（両側）に設けられる。また、この場合、後側面パネル５２が取り外されて、発電モジュール３０を前後方向に沿って後方に移動させることにより、発電モジュール３０が収納部７０の内部と筐体１０の外部との間を移動可能となる。
【００９８】
また、上述した実施形態において、保持部７１ｂは、支持部７１の底部における後側に設けられているが、これに代えて、保持部７１ｂを、支持部７１の底部における前側に設けるようにしても良い。この場合、第一開放部７２が収納部７０における前後方向の後方側のみに設けられる。またこの場合、第二脚部４０ｂの第二板部４３ｂが、本発明の板部に相当する。すなわちこの場合、第二脚部４０ｂの第二板部４３ｂは、被支持部４０（一対の脚部４０ａ，４０ｂ）の前後方向の前方端側の端部から前後方向の前方端側に向かって延び、かつ、左右方向に沿って延びる板状に設けられるとともに、一方面が支持面７１ａとスライド可能に接触する。また、凹部は、第二脚部４０ｂの第二板部４３ｂに、前後方向の前方端側に向けて開放するように形成される。さらに、各支持部材６１ｉ，６１ｊ、保持部７１ｂおよび位置決め部７１ｃの位置に応じて、凹部の位置を設定する。
【００９９】
また、上述した実施形態において、収納部７０の上面視における短手方向および長手方向の一方の方向が前後方向に相当し、収納部７０の上面視における短手方向および長手方向の他方の方向が左右方向に相当するが、これに代えて、収納部７０の上面視における短手方向および長手方向の一方の方向が左右方向に相当し、収納部７０の上面視における短手方向および長手方向の他方の方向が前後方向に相当するようにしても良い。
【０１００】
この場合、具体的には、各支持部材６１ｉ，６１ｊを、左右方向に沿って互いに平行となるように設けられる。すなわちこの場合、各支持部材６１ｉ，６１ｊは、収納部７０における左右方向（長手方向）の両端に亘って延び、かつ、左右方向に沿って互いに平行に延びるように配置される。なお、この場合、前横部材６１ｇは、収納部７０の底部における左端および右端の一方に前後方向（短手方向）に沿うように配置されて、各支持部材６１ｉ，６１ｊの第一端部が接続されるとともに、後横部材６１ｈは、収納部７０の底部の左端および右端の他方に前後方向に沿うように配置されて、各支持部材６１ｉ，６１ｊの第二端部が接続される。また、各支持部材６１ｉ，６１ｊは、発電モジュール３０を支持した状態において、発電モジュール３０における前後方向の両端より内側となるように配置される。
【０１０１】
またこの場合、被支持部４０である一対の脚部４０ａ，４０ｂは、発電モジュール３０の下側面３１ａにおける左右方向の両端側に、前後方向に沿って延びるように設けられる。この場合、第一板部４２ａが一対の脚部４０ａ，４０ｂの左右方向の左方端側の端部および右方端側の端部の一方から、左右方向の左方端側（左方）および右方端側（右方）の一方に向かって延び、前後方向に沿って延びる板状に設けられる。
【０１０２】
またこの場合、保持部７１ｂ、位置決め部７１ｃおよび凹部４２ａ１は、収納部７０における左右方向の左方端側および右方端側の一方にそれぞれ設けられる。この場合、凹部４２ａ１，４２ｂ１は、一対の脚部４０ａ，４０ｂの各第一板部４２ａ，４２ｂに、左右方向の左方端側および右方端側の一方に向けて開放するように設けられる。またこの場合、位置決め部７１ｃは、発電モジュール３０の前後方向に対する位置決めをする。具体的には、第一板部４２ａひいては保持部７１ｂ、位置決め部７１ｃおよび凹部４２ａ１は、左右方向のうち後横部材６１ｈが配置された側に設けられる。
【０１０３】
また、上述した実施形態において、発電モジュール３０が収納部７０の左側の第二開放部７３を介して収納部７０から取り出されているが、これに代えて、発電モジュール３０を収納部７０の右側の第二開放部７３を介して収納部７０から取り出すようにしても良い。この場合、フレーム体６０から第一前右柱部材６１ｃ１を取り外すようにする。
【０１０４】
また、上述した実施形態において、被支持部４０は、一対の脚部４０ａ，４０ｂであるが、これに代えて、発電モジュール３０が一対の脚部４０ａ，４０ｂを備えずに、被支持部４０を発電モジュール３０の下側面３１ａにしても良い。この場合、保持部７１ｂに挟持される板部は、発電モジュール３０のケーシングの下端の後端から後方に延び、下側面が発電モジュール３０の下側面３１ａと同一面となる板状に形成される。
【０１０５】
また、本発明の要旨を逸脱しない範囲において、筐体１０、フレーム体６０、複数のフレーム６１、収納部７０および支持面７１ａの形状、並びに、支持部７１（各支持部材６１ｉ，６１ｊ）、被支持部４０、保持部７１ｂ、凹部４２ａ１および位置決め部７１ｃの形状や個数を変更するようにしても良い。
【符号の説明】
【０１０６】
１…コジェネレーションシステム、１０…筐体、１１…発電モジュール、３１…ケーシング、３１ａ…下側面、３４…燃料電池、４０…被支持部、４０ａ…第一脚部、４０ｂ…第二脚部、４２ａ…第一板部（板部）、４２ａ１…凹部、４３ａ…第二板部、５０…複数のパネル、６０…フレーム体、６１…フレーム、６１ｉ…第一支持部材、６１ｉ１，６１ｊ１…上側面、６１ｊ…第二支持部材、７０…収納部、７１…支持部、７１ａ…支持面、７１ｂ…保持部、７１ｂ１…対向面、７１ｃ…位置決め部、７２…第一開放部、７３…第二開放部、Ｇ…重心。
【図１】
2019087491.tif 000003
【図２】
2019087491.tif 000004
【図３】
2019087491.tif 000005
【図４】
2019087491.tif 000006
【図５】
2019087491.tif 000007
【図６】
2019087491.tif 000008
【図７】
2019087491.tif 000009
【図８】
2019087491.tif 000010
【図９】
2019087491.tif 000011
【図１０】
2019087491.tif 000012
【図１１】
2019087491.tif 000013
【図１２】
2019087491.tif 000014
【図１３】
2019087491.tif 000015